(57)【要約】【課題】  液晶や有機ＥＬ等の発光型の表示装置のバッテリの残量を容易に確認できるようにする。【解決手段】  残量計測部６２がバッテリ６０の残量を計測する。ＣＰＵ２２は表示制御プログラムを実行し、バッテリ６０の残量が少なくなるほどＬＣＤ１６の表示領域が小さくなるように、表示領域を決定する。その旨の指示をＬＣＤ制御部５４に行い、ＬＣＤ１６に決定されたサイズの表示領域となるように表示を行う。【選択図】          図１
2006162854.tif 000002
【特許請求の範囲】
【請求項１】
画像を含む各種表示を行う発光型の表示手段と、
該表示手段に電力を供給するバッテリと、
該バッテリの残量を計測する残量計測手段と、
該残量計測手段により計測されたバッテリの残量が少なくなるほど、前記表示手段の表示領域を小さくする表示制御手段とを備えたことを特徴とする表示装置。
【請求項２】
前記表示制御手段は、前記画像を縮小して表示することにより、前記表示手段の表示領域を小さくする手段であることを特徴とする請求項１記載の表示装置。
【請求項３】
前記表示制御手段は、前記表示手段におけるインタレースの間隔を小さくすることにより、前記表示手段の表示領域を小さくする手段であることを特徴とする請求項１または２記載の表示装置。
【請求項４】
前記表示手段は、複数のバックライトを備えた液晶表示手段であり、
前記表示制御手段は、前記残量計測手段により計測されたバッテリの残量が少なくなるほど、さらに前記バックライトの点灯数を少なくする手段であることを特徴とする請求項１から３のいずれか１項記載の表示装置。
【請求項５】
前記表示手段は、有機ＥＬであることを特徴とする請求項１から３のいずれか１項記載の表示装置。
【請求項６】
外部の明度を計測する明度計測手段をさらに備え、
前記表示制御手段は、該明度計測手段が計測した明度が高いほど、前記表示手段を明るくする手段であることを特徴とする請求項１から６のいずれか１項記載の表示装置。
【請求項７】
画像を含む各種表示を行う発光型の表示手段と、
該表示手段に電力を供給するバッテリとを備えた表示装置における表示方法において、
前記バッテリの残量を計測し、
該計測されたバッテリの残量が少なくなるほど、前記表示手段の表示領域を小さくすることを特徴とする表示方法。
【請求項８】
画像を含む各種表示を行う発光型の表示手段と、
該表示手段に電力を供給するバッテリとを備えた表示装置における表示方法をコンピュータに実行させるためのプログラムにおいて、
前記バッテリの残量を計測する手順と、
該計測されたバッテリの残量が少なくなるほど、前記表示手段の表示領域を小さくする手順とを有することを特徴とするプログラム。
【発明の詳細な説明】
【技術分野】
【０００１】
本発明は、デジタルカメラ、ＰＤＡおよび携帯電話等に設けられた、バッテリにより駆動される液晶モニタおよび有機ＥＬ等の発光型の表示装置および表示方法並びに表示方法をコンピュータに実行させるためのプログラムに関するものである。
【背景技術】
【０００２】
デジタルカメラ、ＰＤＡおよび携帯電話等に設けられた液晶および有機ＥＬ等のモニタは大型化が進み、画像および各種表示が見やすいものとなっている。その一方で、モニタの大型化により消費電力が大きくなるため、バッテリの駆動時間が短くなってしまうという問題がある。
【０００３】
このため、液晶を複数の領域に分割し、分割された領域のみを使用することにより消費電力を低減する手法が提案されている（特許文献１参照）。
【０００４】
また、バッテリの残量をモニタに表示する手法も各種提案されている。具体的には、電池の形状をしたバーをモニタの一部に表示し、バッテリの残量が少なくなるほどバーの長さを短く表示することにより、バッテリの残量を表示する手法が提案されている。
【特許文献１】特開平６−９５６２１号公報
【発明の開示】
【発明が解決しようとする課題】
【０００５】
しかしながら、バーをモニタの一部に表示する手法では、バッテリの残量を確認しにくい。本発明は上記事情に鑑みなされたものであり、液晶および有機ＥＬ等の発光型の表示装置のバッテリの残量を容易に確認できるようにすることを目的とする。
【課題を解決するための手段】
【０００６】
本発明による表示装置は、画像を含む各種表示を行う発光型の表示手段と、
該表示手段に電力を供給するバッテリと、
該バッテリの残量を計測する残量計測手段と、
該残量計測手段により計測されたバッテリの残量が少なくなるほど、前記表示手段の表示領域を小さくする表示制御手段とを備えたことを特徴とするものである。
【０００７】
なお、本発明による表示装置においては、前記表示制御手段を、前記画像を縮小して表示することにより、前記表示手段の表示領域を小さくする手段としてもよい。
【０００８】
また、本発明による表示装置においては、前記表示制御手段を、前記表示手段におけるインタレースの間隔を小さくすることにより、前記表示手段の表示領域を小さくする手段としてもよい。
【０００９】
また、本発明による表示装置においては、前記表示手段を、複数のバックライトを備えた液晶表示手段とし、
前記表示制御手段を、前記残量計測手段により計測されたバッテリの残量が少なくなるほど、さらに前記バックライトの点灯数を少なくする手段としてもよい。
【００１０】
また、本発明による表示装置においては、前記表示手段を有機ＥＬとしてもよい。
【００１１】
また、本発明による表示装置においては、外部の明度を計測する明度計測手段をさらに備えるものとし、
前記表示制御手段を、該明度計測手段が計測した明度が高いほど、前記表示手段を明るくする手段としてもよい。
【００１２】
本発明による表示方法は、画像を含む各種表示を行う発光型の表示手段と、
該表示手段に電力を供給するバッテリとを備えた表示装置における表示方法において、
前記バッテリの残量を計測し、
該計測されたバッテリの残量が少なくなるほど、前記表示手段の表示領域を小さくすることを特徴とするものである。
【００１３】
なお、本発明による表示方法をコンピュータに実行させるためのプログラムとして提供してもよい。
【発明の効果】
【００１４】
本発明によれば、バッテリの残量が少なくなるほど、表示手段の表示領域が小さくなるため、表示手段を見ればバッテリの残量を容易に確認することができる。
【００１５】
また、表示手段が複数のバックライトを備えた液晶表示手段である場合には、バッテリの残量が少なくなるほどバックライトの点灯数を少なくすることにより、バッテリの消費電力を小さくすることができる。
【００１６】
また、表示手段が有機ＥＬの場合は、各画素が発光するものであるため、表示領域を小さくすることにより、バッテリの消費電力を小さくすることができる。
【００１７】
また、外部の明度が高いほど表示手段を明るくすることにより、表示領域が小さくなった場合でも、表示手段に表示される画像を含む各種表示を見やすくすることができる。
【発明を実施するための最良の形態】
【００１８】
以下、図面を参照して本発明の実施形態について説明する。図１は本発明の第１の実施形態による表示装置を備えたデジタルカメラの構成を示す概略ブロック図である。
【００１９】
図１に示すように、デジタルカメラ１には、被写体像を受光面に結像させて光電変換し、画像データ（静止画像データおよび動画像データを含む）として出力する、撮影レンズ、ＣＣＤおよびシャッタ等を備えた撮像部２０と、デジタルカメラ１全体の制御を行うとともに画像データのサンプリングタイミング制御、画像データの記録制御および表示制御等の各種制御を行うＣＰＵ２２と、画像サイズを変更する処理、並びにシャープネス補正、ガンマ補正、コントラスト補正およびホワイトバランス補正等の画像データにより表される画像の画質を向上させるセットアップ処理を行う信号処理部２４と、アナログ情報の画像データをデジタルの画像データに変換するＡ／Ｄ変換器２６と、ストロボ２８と、ストロボ２８の操作を制御するストロボ制御部３０と、種々の指示をデジタルカメラ１に対して行うための入力部３２と、入力部３２の設定情報を入力するインターフェースであるＩ／Ｏ３４とが設けられている。
【００２０】
なお、入力部３２には、画像データのメモリカード１０への記録画素数および記録フォーマットを設定したり、撮影モードおよび再生モード等のデジタルカメラの動作モードを設定したり等するためのモード切替ダイヤル、十字キー、設定スイッチおよびシャッタボタン等の各種スイッチが設けられている。
【００２１】
また、デジタルカメラ１には、画像データをＪＰＥＧやモーションＪＰＥＧに代表される手法で圧縮したり、圧縮した画像データを解凍する圧縮解凍部３６と、メモリカードスロット３８に着脱可能に装着されたメモリカード１０に画像データを記録したり読み出したりするために画像データを変換するカードインターフェース（Ｉ／Ｆ）４２とが設けられている。
【００２２】
また、デジタルカメラ１には、後述する表示制御プログラム等のＣＰＵ２２を動作させるプログラムや各種定数が記録されているＲＯＭおよびＣＰＵ２２が処理を実行する際の作業領域となるＲＡＭにより構成されるシステムメモリ４４と、デジタルカメラ１の各種設定定数を電源遮断後も記録し続けることが可能な書き替え可能な不揮発性メモリ４６と、タイマ撮影時に駆動されるタイマ４８と、現在の時刻を刻むカレンダ時計５０と、画像データを液晶モニタ（ＬＣＤ）１６に表示するためのＤ／Ａ変換等を行うＬＣＤ制御部５４と、ＣＰＵ２２から指令される表示用の画像データを一時的に記録しておくＶＲＡＭ等で構成されているフレームメモリ５６と、ＣＰＵ２２から指令されるコード情報を表示する文字やメッセージデータに変換して画像とともにオンスクリーンディスプレイするＯＳＤ５８とが設けられている。なお、電力を各部へ供給するバッテリ６０と、バッテリの残量を計測する残量計測部６２も設けられている。
【００２３】
そしてＣＰＵ２２がシステムメモリ４４から表示制御プログラムを読み出して実行することにより、ＣＰＵ２２が表示制御手段として機能する。
【００２４】
また、撮像部２０により取得された画像データは、信号処理部２４により画像処理が施された後、Ａ／Ｄ変換部２６によりデジタルの画像データに変換され、さらにユーザにより設定された記録画像数および記録フォーマットにて圧縮解凍部３６において圧縮されてメモリカード１０に記録される。
【００２５】
図２はＬＣＤの構成を示す図である。図２に示すようにＬＣＤ１６は、液晶パネル１６Ａおよび４本のバックライト１６Ｂを備え、バックライト１６Ｂを点灯させることにより、液晶パネル１６Ａ上に表される画像を可視化するものである。
【００２６】
次いで、第１の実施形態において行われる処理について説明する。
【００２７】
第１の処理
図３は第１の処理のフローチャートである。ユーザがデジタルカメラ１の電源をオンとすることによりＣＰＵ２２が表示制御プログラムによる処理を開始する。まず、ＣＰＵ２２が残量計測部６２にバッテリ６０の残量計測の指示を行うことにより、残量計測部６２がバッテリ６０の残量を計測する（ステップＳＴ１）。ＣＰＵ２２は残量計測部６２が計測したバッテリ６０の残量に基づいて、ＬＣＤ１６における画像の表示領域のサイズを決定する（ステップＳＴ２）。
【００２８】
ここで、表示制御プログラムは、バッテリ残量と表示領域のサイズとの関係を規定するテーブルを記憶している。図４はバッテリ残量と表示領域のサイズとの関係を規定するテーブルの例を示す図である。図４に示すように、このテーブルＴ１は、バッテリ残量が少なくなるほど表示領域のサイズを小さくするものである。
【００２９】
ＣＰＵ２２はこのテーブルＴ１を参照して、ＬＣＤ１６における画像の表示領域のサイズを決定する。そしてＣＰＵ２２はＬＣＤ制御部５４に指示を行い（ステップＳＴ３）、これにより決定されたサイズによりＬＣＤ１６に画像を表示し（ステップＳＴ４）、リターンする。
【００３０】
図５はバッテリ残量と表示領域のサイズとの関係を示す図である。図５（ａ）に示すようにバッテリ残量が十分にある場合には、ＬＣＤ１６の全領域に画像が表示される。そして、バッテリ残量が少なくなるにつれ、図５（ｂ）、（ｃ）に示すように表示領域が小さくなる。
【００３１】
これにより、デジタルカメラ１のユーザは、ＬＣＤ１６を見れば、画像の表示領域のサイズに基づいてバッテリ６０の残量を容易に知ることができる。
【００３２】
第２の処理
図６は第２の処理のフローチャートである。ユーザがデジタルカメラ１の電源をオンとすることによりＣＰＵ２２が表示制御プログラムによる処理を開始する。まず、ＣＰＵ２２が残量計測部６２にバッテリ６０の残量計測の指示を行うことにより、残量計測部６２がバッテリ６０の残量を計測する（ステップＳＴ１１）。ＣＰＵ２２は残量計測部６２が計測したバッテリ６０の残量に基づいて、上記第１の処理と同様に、ＬＣＤ１６における画像の表示領域のサイズを決定する（ステップＳＴ１２）。さらに、ＣＰＵ２２は残量計測部６２が計測したバッテリ６０の残量に基づいて、ＬＣＤ１６におけるバックライト１６Ｂの点灯本数を決定する（ステップＳＴ１３）。
【００３３】
ここで、表示制御プログラムは、バッテリ残量とバックライト１６Ｂの点灯本数との関係を規定するテーブルを記憶している。図７はバッテリ残量とバックライト１６Ｂの点灯本数との関係を規定するテーブルの例を示す図である。図７に示すように、このテーブルＴ２は、バッテリ残量が少なくなるほどバックライト１６Ｂの点灯本数を少なくするものである。
【００３４】
ＣＰＵ２２は図４に示すテーブルＴ１を参照して、ＬＣＤ１６における画像の表示領域のサイズを決定し、図７に示すテーブルＴ２を参照して、バックライト１６Ｂの点灯本数を決定する。そしてＣＰＵ２２はＬＣＤ制御部５４に指示を行い（ステップＳＴ１４）、これにより決定された本数のバックライト１６Ｂを点灯し、さらに決定されたサイズによりＬＣＤ１６に画像を表示し（ステップＳＴ１５）、リターンする。
【００３５】
これにより、デジタルカメラ１のユーザは、ＬＣＤ１６を見れば、画像の表示領域のサイズに基づいてバッテリ６０の残量を容易に知ることができる。さらに、バッテリの残量が少なくなるほどバックライト１６Ｂの点灯本数を少なくしているため、バッテリ６０の消費電力を小さくすることができる。
【００３６】
第３の処理
図８は第３の処理のフローチャートである。ユーザがデジタルカメラ１の電源をオンとすることによりＣＰＵ２２が表示制御プログラムによる処理を開始する。まず、ＣＰＵ２２が残量計測部６２にバッテリ６０の残量計測の指示を行うことにより、残量計測部６２がバッテリ６０の残量を計測する（ステップＳＴ２１）。ＣＰＵ２２は残量計測部６２が計測したバッテリ６０の残量に基づいて、ＬＣＤ１６におけるインタレースの間隔を決定する（ステップＳＴ２２）。
【００３７】
ここで、表示制御プログラムは、バッテリ残量とインタレースの間隔との関係を規定するテーブルを記憶している。図９はバッテリ残量とインタレースの間隔との関係を規定するテーブルの例を示す図である。図９に示すように、このテーブルＴ３は、バッテリ残量が少なくなるほどインタレースの間隔を小さくするものである。
【００３８】
ＣＰＵ２２はこのテーブルＴ３を参照して、ＬＣＤ１６におけるインタレースの間隔を決定する。そしてＣＰＵ２２はＬＣＤ制御部５４に指示を行い（ステップＳＴ２３）、これにより決定されたインタレースの間隔によりＬＣＤ１６に画像を表示し（ステップＳＴ２４）、リターンする。
【００３９】
図１０はバッテリ残量とインタレースの間隔との関係を示す図である。図１０（ａ）に示すようにバッテリ残量が十分である場合には、インタレースの間隔は広いため、ＬＣＤ１６の全領域に画像が表示される。そして、バッテリ残量が少なくなるにつれ、図１０（ｂ）、（ｃ）に示すようにインタレースの間隔が小さくなる。
【００４０】
これにより、デジタルカメラ１のユーザは、ＬＣＤ１６を見れば、インタレースの間隔に基づいてバッテリ６０の残量を容易に知ることができる。
【００４１】
第４の処理
図１１は第４の処理のフローチャートである。ユーザがデジタルカメラ１の電源をオンとすることによりＣＰＵ２２が表示制御プログラムによる処理を開始する。まず、ＣＰＵ２２が残量計測部６２にバッテリ６０の残量計測の指示を行うことにより、残量計測部６２がバッテリ６０の残量を計測する（ステップＳＴ３１）。ＣＰＵ２２は残量計測部６２が計測したバッテリ６０の残量に基づいて、上記第３の処理と同様に、ＬＣＤ１６におけるインタレースの間隔を決定する（ステップＳＴ３２）。さらに、ＣＰＵ２２は残量計測部６２が計測したバッテリ６０の残量に基づいて、上記第２の処理と同様にＬＣＤ１６におけるバックライト１６Ｂの点灯本数を決定する（ステップＳＴ３３）。
【００４２】
そしてＣＰＵ２２はＬＣＤ制御部５４に指示を行い（ステップＳＴ３４）、これにより決定された本数のバックライト１６Ｂを点灯し、さらに決定されたサイズによりＬＣＤ１６に画像を表示し（ステップＳＴ３５）、リターンする。
【００４３】
これにより、デジタルカメラ１のユーザは、ＬＣＤ１６を見れば、インタレースの間隔に基づいてバッテリ６０の残量を容易に知ることができる。さらに、バッテリの残量が少なくなるほどバックライト１６Ｂの点灯本数を少なくしているため、バッテリ６０の消費電力を小さくすることができる。
【００４４】
次いで、本発明の第２の実施形態について説明する。図１２は本発明の第２の実施形態によるデジタルカメラの構成を示す概略ブロック図である。なお、第２の実施形態によるデジタルカメラ１０１において第１の実施形態によるデジタルカメラ１と同一の構成については同一の参照番号を付与し、ここでは詳細な説明は省略する。第２の実施形態によるデジタルカメラ１０１は、外部の明度を計測する明度センサ７０を備えた点が第１の実施形態と異なるものである。
【００４５】
次いで、第２の実施形態において行われる処理について説明する。なお、ここでは上記第１から第４の処理の続きであるため、第５の処理として説明する。
【００４６】
第５の処理
図１３は第５の処理のフローチャートである。ユーザがデジタルカメラ１の電源をオンとすることによりＣＰＵ２２が表示制御プログラムによる処理を開始する。まず、ＣＰＵ２２が残量計測部６２にバッテリ６０の残量計測の指示を行うことにより、残量計測部６２がバッテリ６０の残量を計測する（ステップＳＴ４１）。また、ＣＰＵ２２が明度センサ７０に明度計測の指示を行うことにより、明度センサ７０が外部の明度を計測する（ステップＳＴ４２）。ＣＰＵ２２は残量計測部６２が計測したバッテリ６０の残量に基づいて、上記第１の処理と同様に、ＬＣＤ１６における画像の表示領域のサイズを決定する（ステップＳＴ４３）。さらに、ＣＰＵ２２は明度センサ７０が計測した外部の明度に基づいて、ＬＣＤ１６の輝度を決定する（ステップＳＴ４４）。
【００４７】
ここで、表示制御プログラムは、外部の明度とＬＣＤ１６の輝度との関係を規定するテーブルを記憶している。図１４は外部の明度とＬＣＤ１６の輝度との関係を規定するテーブルの例を示す図である。図１４に示すように、このテーブルＴ４は、明度が高いほどＬＣＤ１６の輝度を高くするものである。
【００４８】
ＣＰＵ２２は図４に示すテーブルＴ１を参照して、ＬＣＤ１６における画像の表示領域のサイズを決定し、図１４に示すテーブルＴ４を参照して、ＬＣＤ１６の輝度を決定する。そしてＣＰＵ２２はＬＣＤ制御部５４に指示を行い（ステップＳＴ４５）、これにより決定された輝度および決定されたサイズによりＬＣＤ１６に画像を表示し（ステップＳＴ４６）、リターンする。
【００４９】
これにより、デジタルカメラ１のユーザは、ＬＣＤ１６を見れば、画像の表示領域のサイズに基づいてバッテリ６０の残量を容易に知ることができる。さらに、バッテリの残量が少なくなるほどバックライト１６Ｂの点灯本数を少なくしているため、バッテリ６０の消費電力を小さくすることができる。また、明度が高いほどＬＣＤ１６の輝度を高くすることにより、表示領域が小さくなった場合でも、ＬＣＤ１６に表示される画像を見やすくすることができる。
【００５０】
なお、明度センサ７０を設けることにより、上記第１の実施形態における第２から第４の処理においても、第５の処理と同様に、明度が高いほどＬＣＤ１６の輝度を高くするようにＬＣＤ１６を制御することができることはもちろんである。
【００５１】
次いで、本発明の第３の実施形態について説明する。図１５は本発明の第３の実施形態によるデジタルカメラ２０１の構成を示す概略ブロック図である。なお、第３の実施形態によるデジタルカメラ２０１において第１の実施形態によるデジタルカメラ１と同一の構成については同一の参照番号を付与し、ここでは詳細な説明は省略する。第３の実施形態によるデジタルカメラ２０１は、ＬＣＤ制御部５４およびＬＣＤ１６に代えて、有機ＥＬ制御部７４および有機ＥＬ７６を備えた点が第１の実施形態と異なるものである。
【００５２】
次いで、第３の実施形態において行われる処理について説明する。なお、ここでは上記第１から第５の処理の続きであるため、第６の処理として説明する。
【００５３】
第６の処理
図１６は第６の処理のフローチャートである。ユーザがデジタルカメラ１の電源をオンとすることによりＣＰＵ２２が表示制御プログラムによる処理を開始する。まず、ＣＰＵ２２が残量計測部６２にバッテリ６０の残量計測の指示を行うことにより、残量計測部６２がバッテリ６０の残量を計測する（ステップＳＴ５１）。ＣＰＵ２２は残量計測部６２が計測したバッテリ６０の残量に基づいて、上記第１の処理と同様に、ＬＣＤ１６における画像の表示領域のサイズを決定する（ステップＳＴ５２）。
【００５４】
そしてＣＰＵ２２はＬＣＤ制御部５４に指示を行い（ステップＳＴ５３）、これにより、決定されたサイズによりＬＣＤ１６に画像を表示し（ステップＳＴ５４）、リターンする。
【００５５】
これにより、デジタルカメラ１のユーザは、ＬＣＤ１６を見れば、画像の表示領域のサイズに基づいてバッテリ６０の残量を容易に知ることができる。さらに、有機ＥＬ７６は各画素が発光するものであるため、表示領域が小さくなるほどバッテリ６０の消費量が少なくなる。したがって、バッテリ６０の消費電力を小さくすることができる。
【００５６】
なお、第３の実施形態においても、上記第１の実施形態における第３の処理と同様に、バッテリ６０の残量が少なくなるほど、インタレースの間隔を小さくするように表示の制御を行うようにしてもよいことはもちろんである。また、第２の実施形態と同様に明度センサ７０を設け、第５の処理と同様に、明度が高いほど有機ＥＬ７６の輝度を高くするように有機ＥＬ７６を制御することができることはもちろんである。
【００５７】
なお、上記実施形態においては、本発明による表示装置をデジタルカメラに適用しているが、ノートパソコン、ＰＤＡ、携帯電話等、バッテリにより駆動される液晶モニタ、有機ＥＬ等の発光型の表示装置を備えた機器であれば、本発明を適用できることはもちろんである。
【図面の簡単な説明】
【００５８】
【図１】本発明の第１の実施形態による表示装置を備えたデジタルカメラの構成を示す概略ブロック図
【図２】ＬＣＤの構成を示す図
【図３】第１の処理のフローチャート
【図４】バッテリ残量と表示領域のサイズとの関係を規定するテーブルの例を示す図
【図５】バッテリ残量と表示領域のサイズとの関係を示す図
【図６】第２の処理のフローチャート
【図７】バッテリ残量とバックライトの点灯本数との関係を規定するテーブルの例を示す図
【図８】第３の処理のフローチャート
【図９】バッテリ残量とインタレースの間隔との関係を規定するテーブルの例を示す図
【図１０】バッテリ残量とインタレースの間隔との関係を示す図
【図１１】第４の処理のフローチャート
【図１２】本発明の第２の実施形態によるデジタルカメラの構成を示す概略ブロック図
【図１３】第５の処理のフローチャート
【図１４】明度とＬＣＤの輝度との関係を規定するテーブルの例を示す図
【図１５】本発明の第３の実施形態によるデジタルカメラの構成を示す概略ブロック図
【図１６】第６の処理のフローチャート
【符号の説明】
【００５９】
１，１０１，２０１    デジタルカメラ
１６    ＬＣＤ
２０    撮像部
２２    ＣＰＵ
３２    入力部
４４    システムメモリ
５４    ＬＣＤ制御部
６０    バッテリ
６２    残量計測部
７０    明度センサ
７４    有機ＥＬ制御部
７６    有機ＥＬ
【図１】
2006162854.tif 000003
【図２】
2006162854.tif 000004
【図３】
2006162854.tif 000005
【図４】
2006162854.tif 000006
【図５】
2006162854.tif 000007
【図６】
2006162854.tif 000008
【図７】
2006162854.tif 000009
【図８】
2006162854.tif 000010
【図９】
2006162854.tif 000011
【図１０】
2006162854.tif 000012
【図１１】
2006162854.tif 000013
【図１２】
2006162854.tif 000014
【図１３】
2006162854.tif 000015
【図１４】
2006162854.tif 000016
【図１５】
2006162854.tif 000017
【図１６】
2006162854.tif 000018